(57)【要約】【課題】  室内で飼う雄犬のペット用トイレから飛び出す尿の始末やトイレ本体の汚れなど不都合の解消を目的とする。【解決手段】  敷くための吸水シートを平板状の基台のほぼ中央で固定装着させ、筒状の本体に吸水シートを巻き、筒状本体の割れ目を利用し吸水シートの端を挟み込ませ、それぞれに設けた凹凸の嵌合部で合体させ、この課題を解決する。【選択図】図１
0003125214.tif 000002
【実用新案登録請求の範囲】
【請求項１】
平板状の基台上に立設する筒型ペット用トイレ用具において、平板のほぼ中央部に凹凸部のいずれかを設ける基台と、基台の前記凹凸部のいずれかと嵌合する凸凹部を内部に固定して設けた筒状の本体とから成り、前記筒状の本体に、吸水シートを挟みこんで固定できるように、上から下まで貫通する直線状の切欠を施して弾性が生じるように構成し、前記基台と筒状本体に吸水シートを被せて使用するスタンドタイプの雄犬専用のトイレ用具。
【考案の詳細な説明】
【技術分野】
【０００１】  本考案は犬用室内トイレ用具に関する。
【背景技術】
【０００２】  図８に示すような従来の折りたたみ式雄犬専用室内トイレは、２枚のトレイを蝶番等で接続し、片方を垂直に立て吸水シートを上部で挟み装着する商品がある。雄犬は垂直に立てられた平面の吸水シートに向かって片足を上げて使用するものである。
【考案の開示】
【考案が解決しようとする課題】
【０００３】  以上、述べた折りたたみ式トイレでは、雄犬が片足を上げて平面の中央付近で小便をする場合は良いが、実際には中央よりトイレの縁付近で用を足す事が多く、的から外れ吸水シートから尿が飛び出してしまい、結果、床や壁を汚してしまう。また、トイレの縁に尿がかかり本体自体が汚れてしまい、清掃時やシート交換時など不衛生であり、手間がかかる。このような不都合を解決する事を課題とし、本考案はトイレからの尿の飛び出しを無くし、シート交換等の不快な作業を容易で清潔に出来ることを目的とする。
【課題を解決するための手段】
【０００４】  本考案で平板状の基台は、筒状の本体を合体させた時に安定して支えられる大きさにする。基台と本体を結合させるための凹凸部を棒状と筒状にした場合、基台のほぼ中央に細い棒を立設し、敷くための吸水シートの裏面から棒で貫通させ、基台の上に吸水シートを被せるように固定装着する。使用する吸水シートとは、既存の尿をゼリー状に吸水するペット用シーツである。【０００５】  吸水シートを筒状の本体に巻き付け装着させるために、本体はほぼ円筒状が望ましい。吸水シートの巻き始めと終わりの両端を挟み込むために、筒状本体の縦一辺に上から下まで通して直線状の切欠を施し、その筒状本体に生じた弾性を利用し、吸水シートの両端を挟み込ませる。割れ目は軽い力で簡単に隙間が広がるので吸水シートを装着しやすく、力を抜くとシートを程良く圧迫し、シート同士の摩擦で外れにくい形状になり、吸水シートで筒状本体を包み込むことが可能になった。筒状本体の内部には基台に設けた凸部の棒と嵌合させるための凹部として細い筒を固定させる。基台と筒状本体の凹凸部で嵌合させ完成品とする。基台に凹凸部の凹部を設け、筒状本体の内部に凸部を設置する方法もある。使い始めは筒状に巻くシートにペットの尿の臭いを付けておくと、本能的に早くトイレの場所を理解するので、慣れるまで臭い付けすると良い。
【考案の効果】
【０００６】  よって、敷くための吸水シートのほぼ中央裏面から基台の棒を突き刺して装着し基台を覆い、その上に吸水シートを巻き付け装着した筒状本体を嵌合させた事により、ペットが散歩中に電柱などの高い目標物に小便をするように、くるくると本体の周りを歩き、どの方向からでも本体に向かって用を足す事が可能になった。飛び出た尿は敷いた吸水シートが吸い取るので、床や壁に飛び散る事が無くなった。吸水シートの端を挟み込ませ外表を覆い被せた筒状本体と、吸水シートを細い棒で固定した基台には尿が直接かからなくなったので、用具自体も汚れず、シート交換も容易で、煩わしく不衛生な作業が軽減される。また、筒状本体を上下半回転させるとシートを無駄なく使用でき経済的である。
【考案を実施するための最良の形態】
【０００７】  以下、本考案の実施形態を図に基づいて説明する。【０００８】  図１は、平板状の基台１０と筒状本体２０とを凹凸部で嵌合させるために、基台のほぼ中央に凸部として棒１を設け、棒の長さは本体より短く、先端は吸水シートＰを貫通できる強度があり、ペットが誤って怪我をしない程度に尖らせてある。棒１は製造の段階で基台と一体化していても、後付けでも構わない。吸水シートＰはほぼ中央裏面から棒１を突き刺して装着するか、または、吸水シート２枚を少し重ね合わせて面積を広くし、そのほぼ中央で重なった部分に棒を突き刺しても良い。基台は吸水シートを装着した時に、はみ出さないようにする。筒状の本体２０は、吸水シートＱを巻き付けるために、ほぼ円筒状が望ましく、基台１０の棒１と嵌合させるため凹部として細い筒２を内壁に固定させ設置する。筒２は棒１と嵌合が容易に出来るよう、緩めの太さで、筒状本体を上下１８０度回転させても基台１０と嵌合可能な状態に設置する。吸水シートＱを筒状本体２０の表面に巻き付け、巻き始めと終わりの両端を挟み込むために、筒状本体の１カ所縦方向に上から下まで直線状に切欠を施し、吸水シート２枚を挟められる隙間を空けた。【０００９】  図２は、筒状本体２０の内部に筒２を短くし、上下の２カ所に設置し、基台１０と嵌合させた。【００１０】  図３は、基台１０に凹部３を設け、筒状本体２０内部に凸部として棒４を固定して設置させた。基台のほぼ中央は厚みを持たせて凹部の深さを出し、本体を嵌合させやすくした。【００１１】  図４は、ほぼ円筒状の本体２０の内壁に基台１０と嵌合させるための凹部である筒２を設置し、切欠を施して出来た弾性を利用して、割れ目に吸水シートＱの両端を挟みこめるようにした。【００１２】  図５は、筒状の本体２０は多角形でも構わず、基台１０と嵌合させるための凹部である筒２は、本体の内壁から固定部５を延ばして、本体の中芯付近に設置した。中芯付近に嵌合部を設けることにより、本体をより安定して立てられ、吸水シートを固定するために空いた穴から尿が浸みていく事を防ぐ。【００１３】  図６は、割れ目同士を重ねて渦巻き形状にさせ、より吸水シートを装着し固定しやすくした。筒２は固定部５を延ばして、筒状本体の中芯付近に設置した。【００１４】  図７は、基台１０に敷くための吸水シートＰを２枚重ねてスライドさせ、重なり部分の裏面から棒１で貫通し装着させ、筒状本体２０に吸水シートＱを巻き、両端を割れ目の隙間に挟み込み、基台１０と筒状本体２０の凹凸部で嵌合させて合体し完成した図である。本体は上下１８０度回転させても合体可能である。
以上の構造形態の雄犬専用トイレである。
【図面の簡単な説明】
【００１５】
【図１】  一実施例の断面図
【図２】  他の実施例の断面図
【図３】  さらに他の実施例の断面図
【図４】  筒状本体の一実施例の上面図
【図５】  他の筒状本体の実施例の上面図
【図６】  さらに他の筒状本体の実施例の上面図
【図７】  実施例の完成斜視図
【図８】  従来の折りたたみ式オス専用室内トイレ斜視図
【符号の説明】
【００１６】１０    基台
２０    筒状本体
１      基台に設けた凸部
２      筒状本体に設けた凹部
３      基台に設けた凹部
４      筒状本体に設けた凸部
５      筒の固定部を延ばしたくびれ部分
Ｐ      敷くための吸水シート
Ｑ      巻くための吸水シート
Ｒ      吸水シート
【図１】
0003125214.tif 000003
【図２】
0003125214.tif 000004
【図３】
0003125214.tif 000005
【図４】
0003125214.tif 000006
【図５】
0003125214.tif 000007
【図６】
0003125214.tif 000008
【図７】
0003125214.tif 000009
【図８】
0003125214.tif 000010